(57)【要約】      （修正有）【課題】解像度を印刷画像にフレキシブルに適合させることができるような、印刷版の製造方法を提供する。【解決手段】版シリンダベース６の回転中、版シリンダベース６の回転軸１２に対して平行な方向に、同じ間隔のビーム源からなるアレイ１６、１７、１８、１９をシフトする際、ビーム源は画像に応じて制御され、版シリンダベース６の表面に画点又は非画点が所定の解像度で、ビーム源のビーム出力を所定の量で調整することによって形成される印刷版の製造方法において、直線に沿って設けられた各ビーム源から所定の同じ間隔の個数を選択し、形成すべき解像度に応じて、隣接する２つのビーム源の間隔内で描かれる画点の個数を決め、画点の個数と選択されたビーム源の個数とから、版シリンダベース６の回転毎のアレイ１６、１７、１８、１９の送り量を導出し、画点の個数と版シリンダベース６の描画特性に相応して選択されたビーム源のビーム出力を調整する。【選択図】図１
2006235636.tif 000002
【特許請求の範囲】
【請求項１】
所定の描画特性を有する版シリンダベースの回転中、及び、前記版シリンダベースの回転軸に対して平行な方向に、同じ間隔のビーム源からなるアレイをシフトする際、前記ビーム源は画像に応じて制御され、前記版シリンダベースの表面に、画点又は非画点が、所定の解像度で、前記ビーム源のビーム出力を所定の量で調整することによって形成される印刷版の製造方法において、
直線に沿って設けられた各ビーム源（２０）から、所定の同じ間隔（ｄ）の個数（ｎ）を選択し、形成すべき解像度に応じて、隣接する２つのビーム源（２０）の前記間隔（ｄ）内で描かれる画点（２９）の個数（ｐ）を決め、
前記画点（２９）の前記個数（ｐ）と、前記選択されたビーム源（２０）の前記個数（ｎ）とから、版シリンダベース（６）の回転毎のアレイの送り量（ｖ）を導出し、
前記画点（２９）の前記個数（ｐ）と版シリンダベース（６）の描画特性に相応して、前記選択されたビーム源（２０）のビーム出力を調整することを特徴とする印刷版の製造方法。
【請求項２】
ビーム源として、レーザダイオード（２０）を用いる請求項1記載の方法。
【発明の詳細な説明】
【技術分野】
【０００１】
本発明は、所定の描画特性を有する版シリンダベースの回転中、及び、前記版シリンダベースの回転軸に対して平行な方向に、同じ間隔のビーム源からなるアレイをシフトする際、前記ビーム源は画像に応じて制御され、前記版シリンダベースの表面に、画点又は非画点が、所定の解像度で、前記ビーム源のビーム出力を所定の量で調整することによって形成される印刷版の製造方法に関する。
【背景技術】
【０００２】
印刷版の製造のために、従来技術から、画像に応じて制御可能な個別の多数のレーザダイオードからなるアレイを用いて、版シリンダベース上に画点又は非画点を形成することが公知である（特許文献１参照）。外部ドラムのプロッタ（Ａｕｓｓｅｎｔｒｏｍｍｅｌｂｅｌｉｃｈｔｅｒ）の場合、又は、印刷機内の描画装置の場合、版シリンダベース又はプロットされないプリンティングマスタ（Ｄｒｕｃｋｆｏｌｉｅ）が、ドラムの側面上又は版胴の側面上に取り付けられて、回転される。各レーザダイオードは、等間隔で、ドラム乃至版胴の回転軸に対して平行な直線に沿って配設されている。レーザダイオードアレイは、描画ヘッド内に設けられており、描画ヘッドは、スピンドルドライブを用いて、等速度で回転軸に対して平行な方向にシフトされる。螺旋状の描画軌跡が得られる。ドラム乃至版胴の回転毎の、描画ヘッドの送り量（Ｖｏｒｓｃｈｕｂ）は、レーザダイオードアレイの全幅よりも小さい。描画ヘッドのシフトの大きさは、隣接して形成可能な画点の間隔よりも大きい。各レーザダイオード相互の固定間隔に基づいて、及び、各描画ヘッドの所定の送り量に基づいて、正確に所定の解像度が印刷画像内に達成され得る。ここで、解像度とは、描画ヘッドの前送り方向で、単位長さ毎に形成可能な画点の個数のことである。その際、レーザ出力は、画点の大きさが濃密な描画を可能とするように調整される。
【特許文献１】ドイツ連邦共和国特許公開第１００３１９１５号公報
【発明の開示】
【発明が解決しようとする課題】
【０００３】
印刷画像の描画のために、別の解像度で描画するのが目的に適っている場合には、解像度が１つだけに制限されているのは不利である。
【０００４】
本発明の課題は、解像度を印刷画像にフレキシブルに適合させることができるような、印刷版の製造方法を提供することにある。
【課題を解決するための手段】
【０００５】
この課題は、本発明によると、直線に沿って設けられた各ビーム源から、所定の同じ間隔の個数を選択し、形成すべき解像度に応じて、隣接する２つのビーム源の間隔内で描かれる画点の個数を決め、画点の個数と、選択されたビーム源の個数とから、版シリンダベースの回転毎のアレイの送り量を導出し、画点の個数と版シリンダベースの描画特性に相応して、選択されたビーム源のビーム出力を調整することにより解決される。
【発明の効果】
【０００６】
本発明によると、最初のステップで、直線に沿って等間隔に設けられた多数のビーム源から、相互に所定の間隔を有する幾つかのビーム源が選択される。印刷画像のために、所定の解像度が設けられている場合、直ぐ次のステップで、隣り合った２つのビーム源の間隔に相応する距離で描かれる点の個数が決められる。後続のステップで、回転する版シリンダベースの回転毎の、選択されたビーム源の送り量が算出される。結局、次のステップで、ビーム源のビーム出力が、ビーム源の制御時に、版シリンダベース上の画点が解像度に相応する大きさに達するように調整される。ビーム源は、そのプロフィールに基づいて、ビーム出力の変化時に、画点の大きさの明確な変化を示すガウスビームを形成する。
【０００７】
本発明の方法によると、形成すべき印刷画像に解像度を段階的に適合させることができる。ステップ幅は、描画用に選択された各ビーム源の間隔から得られる。調整すべきビーム出力は、状況によって、予め実験により決められた、版シリンダベースの特性に依存している。
【発明を実施するための最良の形態】
【０００８】
有利な実施例は、従属請求項から得られる。
【実施例】
【０００９】
以下、本発明について、図示の実施例を用いて詳細に説明する。
【００１０】
図１は、統合された描画装置を備えた印刷機の印刷機構を略示している。側壁１，２間に、版胴３が回転可能に支承軸４，５内に保持されている。版胴３上には、版シリンダベース６が取り付けられている。版シリンダベース６の表面上に印刷色が着けられた各画点を形成するために、４つの描画ヘッド７，８，９，１０が設けられている。描画ヘッド７，８，９，１０は、長手方向ガイド１１上に設けられている。長手方向ガイド１１は、版胴３の回転軸１２に対して平行である。描画ヘッド７，８，９，１０は、スピンドルドライブ１３と一緒に回転軸１２の方向に位置決め可能である。スピンドルドライブ１３は、側壁１，２内の支承軸１４，１５内に回転可能に保持されている。
【００１１】
描画ヘッド７，８，９，１０は、光結像素子を有するレーザダイオードアレイ１６，１７，１８，１９を持っている。レーザダイオードアレイ１６，１７，１８，１９は、ｎ＝６４個の個別に制御可能なレーザダイオード２０を有しており、レーザダイオード２０は、回転軸１２に対して平行なラインに沿って配向されている。回転軸１２の方向での各レーザダイオード２０の間隔ｄ＝１６０μｍは、形成すべ２つの画点の最小間隔よりも大きい。レーザダイオード２０の制御の際、レーザビーム２１は、回転軸１２に対して垂直方向に形成される。
【００１２】
版胴３及びスピンドルドライブ１３は、各々モータ２２，２３及び回転センサ２４，２５と結合されている。描画ヘッド７，８，９，１０、モータ２２，２３、回転センサ２４，２５は、制御装置２６と接続されている。制御装置２６は、印刷及び描画時に印刷機を制御するための計算技術手段を有している。キーボード２７により、オペレータが、データを入力することができる。スクリーン２８により、制御情報が表示される。
【００１３】
図２．１及び２．２には、ｘ方向に並んで、版シリンダベース６上に形成される画点２９が、２５４０ｄｐｉ及び２９８８ｄｐｉの解像度で示されている。ここで、”ｄｐｉ”は、単位インチ当たりの画点２９の個数を示す。外側の画点２９．１，２９．２は、隣り合った２つのレーザダイオード２０によって描かれる。
【００１４】
レーザダイオード２０が最小可能距離ｄ＝１６０μｍに選択されている場合、区間ｄ＝１６０μｍ上にｐ＝１７個の画点２９を描くことにより、２５４０ｄｐｉの解像度が得られる。６４個のレーザダイオード２０を用いる場合、版胴３の回転毎に描画ヘッド７，８，９，１０の送り量ｖ＝６４０μｍが得られる。画点２９の大きさは、隣接する各画点２９が少し重畳するように調整される。図２．１に示されている場合には、画点２９の直径は、１０μｍである。このために、レーザダイオード２０のビーム出力は、９０ｍＷに調整される。
【００１５】
２９８８ｄｐｉの解像度では、２０個の画点２９は、区間ｄ＝１６０μｍに適合する。描画ヘッド７，８，９，１０の送り量ｖは、版胴３の回転毎に５４４μｍとなる。描画の画点２９は、直径８．５μｍで描かれる必要があり、そのために、レーザダイオード２０は、７７ｍＷの出力に調整される。
【００１６】
図３には、４つの種々異なる解像度、それに対応付けられた画点２９の直径の各値、描画ヘッド７，８，９，１０の送り量、レーザダイオード２０のビーム出力が示されている。レーザダイオード２０の所定の間隔ｄ＝１６０μｍの場合、解像度ａは、２５４０／（ｄ／１０）のステップで変化可能である。解像度ａは、以下の関係式から得られる：
ａ＝ｐ／１７＊２５４０
その際、ｐは、２つのレーザダイオード２０の間隔ｄでの画点２９の個数である。個別画点２９の直径は：
ｄ／ｐ＝１７０μｍ／ｐ
から算出される。
【００１７】
描画ヘッド７−１０の送り量は：
Ｖ＝ｎ＊ｄ／ｐ＝６４＊１７０／ｐ・μｍ／回転
から得られる。
【００１８】
その際、ｎは、レーザダイオード１６，１７，１８，１９内のレーザダイオード２０の全個数である。出力ｐは、解像度ａが大きくなるにつれて低減する。出力ｐは、版シリンダベース６の描画すべき材料の熱感度又は感光度に依存している。所定の画点の直径に達するための出力値ｐは、実験により求められる。
【図面の簡単な説明】
【００１９】
【図１】統合された描画装置を備えた印刷機の略図。
【図２】図２．１は、第1の解像度での２つのレーザダイオード間の各画点の配分用の略図、図２．２は、第２の解像度での２つのレーザダイオード間の各画点の配分用の略図。
【図３】画像内の所定の解像度での各レーザダイオードの間隔及び出力の対応関係を示す表。
【符号の説明】
【００２０】
１，２  側壁
３  版胴
４，５  支承軸
６  版シリンダベース
７，８，９，１０  描画ヘッド
１１  長手方向ガイド
１２  回転軸
１３  スピンドルドライブ
１４，１５  支承軸
１６，１７，１８，１９  レーザダイオードアレイ
２０  レーザダイオード
２１  レーザビーム
２２，２３  モータ
２４，２５  回転センサ
２６  制御装置
２７  キーボード
２８  スクリーン
２９  画点
【図１】
2006235636.tif 000003
【図２】
2006235636.tif 000004
【図３】
2006235636.tif 000005